(57)【要約】【課題】  用紙に複数の印刷ジョブをレイアウトして印刷することにより用紙節約と印刷品位を両立することを目的とする。【解決手段】  用紙に複数の印刷ジョブをレイアウトして印刷するシステムにおいて、レイアウト対象の印刷ジョブの数を設定するジョブ数設定手段を有し、該印刷ジョブで指定された用紙種と第１の印刷品位から得られる第２の印刷品位に基づいてレイアウト対象の印刷ジョブを決定するレイアウト対象ジョブ決定手段を有する印刷装置。【選択図】  図１
2007136944.tif 000002
【特許請求の範囲】
【請求項１】
用紙に複数の印刷ジョブをレイアウトして印刷するシステムにおいて、レイアウト対象の印刷ジョブの数を設定するジョブ数設定手段を有し、該印刷ジョブで指定された用紙種と第１の印刷品位から得られる第２の印刷品位に基づいてレイアウト対象の印刷ジョブを決定するレイアウト対象ジョブ決定手段を有することを特徴とする印刷装置。
【請求項２】
請求項１の該ジョブ数設定手段は、該印刷装置であらかじめ決められた数であることを特徴とする請求項１に記載の印刷装置。
【請求項３】
請求項１の該第２の印刷品位は、該用紙種に関する情報と該第１の印刷品位に基づいて、該印刷装置に装着されている用紙種に関する情報で正規化した印刷品位であることを特徴とする請求項１、２に記載の印刷装置。
【発明の詳細な説明】
【技術分野】
【０００１】
POD（Print  On  Demand）市場のように低ランニングコストを重視する市場では、印刷装置に大きなサイズの用紙を装着しておき、該用紙に複数の印刷ジョブをレイアウトして印刷することにより、用紙節約を実現することは重要である。本発明はこのような技術分野に関するものである。
【背景技術】
【０００２】
従来、印刷装置で複数の印刷ジョブをレイアウトして一緒に印刷する場合、あらかじめ印刷装置で設定しておいた時間内にホストコンピュータから着信した印刷ジョブをレイアウト対象としてレイアウトし、一緒に印刷していた。このような動作を行う印刷装置としては、ヒューレットパッカード社のDJ550０がある。また、［特開平２００１−１８９８４６］（エプソンコーワ）によれば、レイアウトに関する提案が開示されているが、レイアウト対象の印刷ジョブをどのように決定するのかという点に関しては開示されていない。
【特許文献１】特開２００１−１８９８４６号公報
【発明の開示】
【発明が解決しようとする課題】
【０００３】
従来は、印刷装置で複数の印刷ジョブをレイアウトして一緒に印刷する場合、あらかじめ印刷装置で設定しておいた時間内にホストコンピュータから着信した印刷ジョブをレイアウト対象としてレイアウトし一緒に印刷したり、また、［特開平２００１−１８９８４６］（エプソンコーワ）のようにレイアウトに関する提案は開示されているが、レイアウト対象の印刷ジョブをどのように決定するのかという点に関しては開示されていなかった。このため、印刷装置がレイアウト印刷を行う場合、印刷ジョブごとに印刷品位や用紙種の指定が違う場合でも一緒にレイアウト印刷するため、本来ユーザが所望していた画像品位が得られないという課題があった。
【０００４】
このため、本発明では、複数の印刷ジョブをレイアウトして印刷する場合、ユーザの意図する画像品位で印刷することを目的としている。
【課題を解決するための手段】
【０００５】
上記目的を達成するために、請求項１の印刷装置は、用紙に複数の印刷ジョブをレイアウトして印刷するシステムにおいて、レイアウト対象の印刷ジョブの数を設定するジョブ数設定手段を有し、該印刷ジョブで指定された用紙種と第１の印刷品位から得られる第２の印刷品位に基づいてレイアウト対象の印刷ジョブを決定するレイアウト対象ジョブ決定手段を有することにより印刷装置に装着されている用紙種に適した印刷品位で印刷ジョブをまとめて印刷することを実現している。
【０００６】
上記目的を達成するために、請求項２の該請求項１記載の該ジョブ数設定手段は、該印刷装置であらかじめ決められた数であることによりレイアウト対象の印刷ジョブ数を決定することを実現している。
【０００７】
上記目的を達成するために、請求項３の該請求項１記載の該第２の印刷品位は、該用紙種に関する情報と該第１の印刷品位に基づいて、該印刷装置に装着されている用紙種に関する情報で正規化した印刷品位であることにより印刷装置に装着されている用紙種に適した印刷品位でレイアウト印刷することを実現している。
【発明の効果】
【０００８】
本発明の印刷装置は、該第２の印刷品位によりレイアウト対象の印刷ジョブを決定することにより、複数の印刷ジョブをレイアウト印刷する場合、現在印刷装置に装着されている用紙種に適した印刷品位でレイアウト印刷することを実現している。
【発明を実施するための最良の形態】
【０００９】
以下、本発明の実施形態について、図面を用いて説明する。
【００１０】
(第１の実施形態の印刷装置)
図１は第１の実施例を説明する印刷制御ブロック図である。以下、各構成要素を説明する。ホストインターフェイス１０１として、パラレル I/F１０２、USB I/F１０３、IEEE1394 １０４、LAN I/F１０５を装備し、転送制御部１０６としてパラレル制御部１０８、USB制御部１０９、IEEE１３９４制御部１１０、LAN制御部１０７のプロトコルとして、TCP/IPをサポートしている第1ＬＡＮ制御部１１１、AppleTalk（登録商標）をサポートしている第２ＬＡＮ制御部１１２、NetWare（登録商標）をサポートしている第３ＬＡＮ制御部１１３であり、図示していないホストコンピュータからの受信データをホストインターフェイス１０１、転送制御部１０６を介して印刷ジョブデータを印刷ジョブ制御部１１４に渡す。該印刷ジョブ制御部１１４ではジョブ解析を行い、HDD１２２を介して、印刷制御部１１５に印刷制御パラメータを渡すとともに、印刷ジョブ中の印刷データを該HDD１２２に格納する。また印刷ジョブで指定された用紙種と第１の印刷品位に基づいて、印刷装置に装着されている用紙情報で、第２の印刷品位を算出し、ＨＤＤ１２２に格納する。該HDD１２２に格納した印刷データをレイアウト対象ジョブ決定部１１６で読み出し、指定されている用紙サイズが印刷装置に装着されている実際の用紙サイズと比較して、レイアウト対象とする印刷データかの判定を行う。ここでレイアウト対象でない場合には次の印刷データ解析部１１７に印刷データを渡して解析し、描画データを生成し、描画処理部１１８にて描画処理を行う。次に描画処理部１１８で描画された描画データを印刷制御部１１５に渡し、上述した印刷制御パラメータに従って、印刷制御するように動作する。印刷制御部１１５による印刷制御はヘッド移動や用紙搬送などを行うためにモータ１１９の駆動、印刷ヘッド１２０からのインクの吐出制御、さらに印刷ヘッド１２０にインクを供給するためのインク供給系１２１の制御を行う。このとき印刷制御部１１５は、該HDD１２２に格納されている印刷制御パラメータに従って、印刷を制御するように動作する。ここで印刷制御パラメータは少なくとも印刷パス数、キャリッジ速度、印刷方向から構成され、ヘッドが搭載されているキャリッジ速度やヘッドのパス数、さらに片方向印字を行うのか、双方向印字を行うのかといった動作制御する。
【００１１】
一方、レイアウト対象ジョブ決定部１１６でレイアウト対象ジョブと判定されたジョブは、レイアウト管理部１２３を介して該HDD１２２に図２に示すようなレイアウト対象ジョブ管理を行う。このレイアウト管理は該第２の印刷品位毎に分類し印刷ジョブを管理するもので、このジョブがあらかじめ印刷装置内で決められたレイアウト対象ジョブ数分蓄積されるとレイアウト管理から読み出され、レイアウト情報生成部１２４によりレイアウト情報を生成し、該レイアウト情報と該印刷データを該データ解析部１１７に渡して、レイアウトのための描画情報を生成し、該描画処理部１１８で描画処理を行い、レイアウト印刷でないと判定された場合の同様に、印刷制御部１１５を介して印刷制御を行い、図３のレイアウト図で示したレイアウト印刷を行う。この場合、該印刷制御部１１５は第２の印刷品位に基づいて印刷制御するように動作する。また図３は上記説明をフローで説明した印刷制御フロー図である。
【図面の簡単な説明】
【００１２】
【図１】本発明の一実施例を説明する印刷制御ブロック図である。
【図２】本発明の一実施例を説明するレイアウト対象ジョブ管理図である。
【図３】本発明の一実施例を説明するレイアウト図である。
【図４】本発明の一実施例を説明する印刷制御フロー図である。
【符号の説明】
【００１３】
１０１  ホストインターフェイス
１０２  パラレルＩ／Ｆ
１０３  ＵＳＢ    Ｉ／Ｆ
１０４  ＩＥＥＥ１３９４    Ｉ／Ｆ
１０５  ＬＡＮ    Ｉ／Ｆ
１０６  転送制御部
１０７  ネットワーク転送制御部
１０８  パラレル制御部
１０９  ＵＳＢ制御部
１１０  ＩＥＥＥ１３９４制御部
１１１  第１ＬＡＮ制御部
１１２  第２ＬＡＮ制御部
１１３  第３ＬＡＮ制御部
１１４  印刷ジョブ制御部
１１５  印刷制御部
１１６  レイアウト対象ジョブ決定部
１１７  印刷データ解析部
１１８  描画処理部
１１９  モータ
１２０  印刷ヘッド
１２１  インク供給系
１２２  HDD
１２３  レイアウト管理部
１２４  レイアウト情報生成部
【図１】
2007136944.tif 000003
【図２】
2007136944.tif 000004
【図３】
2007136944.tif 000005
【図４】
2007136944.tif 000006